(57)【要約】【課題】通知されるものと認識していない他のユーザのプレゼンスが表示されるという不具合、または、他のユーザのプレゼンスとともに当該他のユーザに関する情報を表示できないという不具合が生じる。【解決手段】他の端末との間で、端末のユーザの活動状態を示す活動情報を相互に通知すると共に、他の端末のそれぞれから通知された活動情報を表示する複数の端末と、複数の端末のそれぞれに対応付けられた複数のサーバとを備える活動情報送受信システムであって、サーバは、サーバ側基本情報格納部と、サーバ側基本情報送受信部と、サーバ側活動情報送受信とを有し、端末は、端末側基本情報送受信部と、端末側基本情報格納部と、端末側活動情報送受信部と、基本情報要求部とを有する。【選択図】図４
2008102880.tif 000002
【特許請求の範囲】
【請求項１】
他の端末との間で、端末のユーザの活動状態を示す活動情報を相互に通知すると共に、前記他の端末のそれぞれから通知された前記活動情報を表示する複数の端末と、
前記複数の端末のそれぞれに対応付けられた複数のサーバと
を備える活動情報送受信システムであって、
前記サーバは、
前記ユーザを識別する識別情報に対応付けて前記ユーザの基本情報を格納するサーバ側基本情報格納部と、
当該サーバに対応付けられた前記端末、および、他のサーバとのあいだで、前記識別情報に対応付けて前記ユーザの前記基本情報を送受信するサーバ側基本情報送受信部と、
当該サーバに対応付けられた前記端末、および、他のサーバとのあいだで、前記識別情報に対応付けて前記ユーザの前記活動情報を送受信するサーバ側活動情報送受信と
を有し、
前記端末は、
当該端末に対応付けられた前記サーバとのあいだで、前記識別情報に対応付けて前記ユーザの前記基本情報を送受信する端末側基本情報送受信部と、
前記識別情報に対応付けて前記基本情報を格納する端末側基本情報格納部と、
当該端末に対応付けられた前記サーバとのあいだで、前記識別情報に対応付けて前記ユーザの前記活動情報を送受信する端末側活動情報送受信部と、
前記端末側活動情報送受信により前記活動情報が受信された場合に、当該活動情報に対応付けて受信された前記識別情報が前記端末側基本情報格納部に格納されているかどうかを判断し、格納されていないと判断した場合に、当該端末に対応付けられたサーバの前記サーバ側基本情報格納部に格納されている前記基本情報を送信すべき旨の送信要求を当該サーバの前記サーバ側基本情報送受信部に送信する基本情報要求部と
を有する活動情報送受信システム。
【請求項２】
前記端末は、当該端末に対応付けられた前記サーバとのあいだで、前記活動情報の通知に関する要求および応答を送受信する端末側要求応答部をさらに有し、
前記サーバは、当該サーバに対応付けられた前記端末、および、他のサーバとのあいだで、前記活動情報の通知に関する要求および応答を送受信するサーバ側要求応答部をさらに有し、
前記サーバ側要求応答部は、他のユーザに前記活動情報の通知の開始を要求する開始要求を、当該サーバに対応付けられた端末の前記端末側要求応答部から受信した場合に、当該開始要求を他のサーバの前記サーバ側要求応答部に送信し、
前記サーバ側要求応答部は、前記開始要求を他のサーバの前記サーバ側要求応答部から受信した場合に、当該開始要求を当該サーバに対応付けられた端末の前記端末側要求応答部に送信し、
前記サーバ側要求応答部は、前記開始要求に対する応答を前記サーバに対応付けられた端末の前記端末側要求応答部から受信した場合に、当該開始要求に対する応答を他のサーバの前記サーバ側要求応答部に送信し、
前記サーバ側要求応答部は、前記開始要求に対する応答を他のサーバの前記サーバ側要求応答部から受信した場合に、当該開始要求に対する応答を当該サーバに対応付けられた端末の前記端末側要求応答部に送信し、
前記サーバ側基本情報格納部は、前記サーバ側要求応答部が、他のサーバの前記サーバ側要求応答部から前記開始要求に対する肯定的な応答を受信した場合に、当該開始要求に対する肯定的な応答を送信した前記他の端末のユーザを識別する前記識別情報に対応付けて当該ユーザの前記基本情報を格納し、
前記端末側基本情報格納部は、前記端末側要求応答部が、当該端末に対応付けられた前記サーバから前記開始要求に対する肯定的な応答を受信した場合に、当該開始要求に対する肯定的な応答を送信した前記他の端末のユーザを識別する前記識別情報に対応付けて当該ユーザの前記基本情報を格納する請求項１に記載の活動情報送受信システム。
【請求項３】
前記端末は、当該端末に対応付けられた前記サーバとのあいだで、前記活動情報の通知に関する要求および応答を送受信する端末側要求応答部をさらに有し、
前記サーバは、当該サーバに対応付けられた前記端末、および、他のサーバとのあいだで、前記活動情報の通知に関する要求および応答を送受信するサーバ側要求応答部をさらに有し、
前記サーバ側要求応答部は、他のユーザに前記活動情報の通知の中止を要求する中止要求を、当該サーバに対応付けられた端末の前記端末側要求応答部から受信した場合に、当該中止要求を他のサーバの前記サーバ側要求応答部に送信し、
前記サーバ側要求応答部は、前記中止要求を他のサーバの前記サーバ側要求応答部から受信した場合に、当該中止要求を当該サーバに対応付けられた端末の前記端末側要求応答部に送信し、
前記サーバ側要求応答部は、前記中止要求に対する応答を前記サーバに対応付けられた端末の前記端末側要求応答部から受信した場合に、当該中止要求に対する応答を他のサーバの前記サーバ側要求応答部に送信し、
前記サーバ側要求応答部は、前記中止要求に対する応答を他のサーバの前記サーバ側要求応答部から受信した場合に、当該中止要求に対する応答を当該サーバに対応付けられた端末の前記端末側要求応答部に送信し、
前記サーバ側基本情報格納部は、前記サーバ側要求応答部が、他のサーバの前記サーバ側要求応答部から前記中止要求に対する肯定的な応答を受信した場合に、当該中止要求に対する肯定的な応答を送信した前記他の端末のユーザの前記基本情報を削除し、
前記端末側基本情報格納部は、前記端末側要求応答部が、当該端末に対応付けられた前記サーバから前記中止要求に対する肯定的な応答を受信した場合に、当該中止要求に対する肯定的な応答を送信した前記他の端末のユーザの前記基本情報を削除する請求項１に記載の活動情報送受信システム。
【請求項４】
前記端末側活動情報送受信部は、前記端末が当該端末に対応付けられたサーバにログインしたときに、または、ログインしたのちに定期的に、当該サーバの前記サーバ側活動情報送受信部から、前記サーバ側基本情報格納部に前記識別情報が格納されている当該端末のユーザ以外の他の全てのユーザの前記活動情報を前記識別情報に対応付けてまとめて受信する請求項１に記載の活動情報送受信システム。
【請求項５】
前記端末側活動情報送受信部は、前記サーバ側基本情報格納部に前記識別情報が格納されているいずれかの前記ユーザの前記活動情報を前記識別情報に対応付けて受信する請求項１に記載の活動情報送受信システム。
【請求項６】
前記基本情報要求部は、前記端末側活動情報送受信により前記活動情報に対応付けて受信された前記識別情報が前記端末側基本情報格納部に格納されていないと判断した場合に、前記サーバ側基本情報格納部に格納されている当該端末のユーザ以外の他の全てのユーザの前記基本情報を送信すべき旨の前記送信要求を前記サーバ側基本情報送受信部に送信する請求項１に記載の活動情報送受信システム。
【請求項７】
前記基本情報要求部は、前記端末側活動情報送受信により前記活動情報に対応付けて受信された前記識別情報が前記端末側基本情報格納部に格納されていないと判断した場合に、当該識別情報に対応付けて前記サーバ側基本情報格納部に格納されている前記基本情報を送信すべき旨の前記送信要求を前記サーバ側基本情報送受信部に送信する請求項１に記載の活動情報送受信システム。
【請求項８】
前記サーバ側基本情報送受信部は、
前記送信要求に基づいて前記サーバ側基本情報格納部に格納されている当該端末のユーザ以外の他の全てのユーザの前記基本情報を前記識別情報に対応付けて、当該サーバに対応付けられた前記端末の前記端末側基本情報送受信部に送信し、
前記端末側基本情報送受信部は、
前記端末側基本情報格納部に格納されている当該端末のユーザ以外の他の全てのユーザの前記基本情報および前記識別情報を、前記サーバ側基本情報送受信部から受信した前記基本情報および前記識別情報により更新する請求項６に記載の活動情報送受信システム。
【請求項９】
前記サーバ側基本情報送受信部は、
前記送信要求に基づいて前記サーバ側基本情報格納部に格納されている一の前記基本情報を前記識別情報に対応付けて、当該サーバに対応付けられた前記端末の前記端末側基本情報送受信部に送信し、
前記端末側基本情報送受信部は、
前記サーバ側基本情報送受信部から受信した当該一の基本情報を前記識別情報に対応付けて前記端末側基本情報格納部に格納する請求項７に記載の活動情報送受信システム。
【請求項１０】
前記基本情報要求部は、さらに、
前記サーバから、前記サーバに前記識別情報が格納されている当該端末のユーザ以外の他の全てのユーザの前記活動情報を前記識別情報に対応付けてまとめて受信した場合に、前記端末側基本情報格納部に格納されている当該端末のユーザ以外の他の全てのユーザの前記識別情報が、前記活動情報に対応付けて受信されたかどうかを判断し、
前記基本情報要求部は、前記端末側基本情報格納部に格納されている一のユーザの前記識別情報が、前記活動情報に対応付けて受信されなかったと判断した場合に、当該一の識別情報に対応付けて前記端末側基本情報格納部に格納されている前記基本情報を削除する請求項４に記載の活動情報送受信システム。
【請求項１１】
端末を使用するユーザを識別する識別情報に対応付けて前記ユーザの基本情報を格納するサーバを介して、他の端末との間で、前記ユーザの活動状態を示す活動情報を相互に出力すると共に、前記他の端末から出力された前記活動情報を表示する端末であって、
前記端末は、
前記サーバとのあいだで、前記識別情報に対応付けて前記ユーザの前記基本情報を送受信する端末側基本情報送受信部と、
前記識別情報に対応付けて前記基本情報を格納する端末側基本情報格納部と、
前記サーバとのあいだで、前記識別情報に対応付けて前記ユーザの前記活動情報を送受信する端末側活動情報送受信部と、
前記端末側活動情報送受信により前記活動情報が受信された場合に、当該活動情報に対応付けて受信された前記識別情報が前記端末側基本情報格納部に格納されているかどうかを判断し、格納されていないと判断した場合に、前記サーバに格納されている前記基本情報を送信すべき旨の送信要求を前記サーバに送信する基本情報要求部と
を備える端末。
【請求項１２】
前記端末は、他のユーザに前記活動情報の通知の開始を要求する開始要求、前記開始要求に対する応答を送受信する端末側要求応答部をさらに備え、
前記端末側基本情報格納部は、前記端末側要求応答部が、前記サーバから前記開始要求に対する肯定的な応答を受信した場合に、当該開始要求に対する肯定的な応答を送信した前記他の端末のユーザを識別する前記識別情報に対応付けて当該ユーザの前記基本情報を格納する請求項１１に記載の端末。
【請求項１３】
前記端末は、他のユーザに前記活動情報の通知の中止を要求する中止要求、前記中止要求に対する応答を送受信する端末側要求応答部をさらに備え、
前記端末側基本情報格納部は、前記端末側要求応答部が、前記サーバから前記中止要求に対する肯定的な応答を受信した場合に、当該中止要求に対する肯定的な応答を送信した前記他の端末のユーザの前記基本情報を削除する請求項１１に記載の端末。
【請求項１４】
前記端末側活動情報送受信部は、前記端末が当該端末に対応付けられたサーバにログインしたときに、または、ログインしたのちに定期的に、当該サーバから、前記基本情報に対応付けて前記サーバに前記識別情報が格納されている当該端末のユーザ以外の他の全てのユーザの前記活動情報を前記識別情報に対応付けてまとめて受信する請求項１１に記載の端末。
【請求項１５】
前記端末側活動情報送受信部は、前記基本情報に対応付けて前記サーバに前記識別情報が格納されているいずれかの前記ユーザの前記活動情報を前記識別情報に対応付けて受信する請求項１１に記載の端末。
【請求項１６】
前記基本情報要求部は、前記端末側活動情報送受信部により前記活動情報に対応付けて受信された前記識別情報が前記端末側基本情報格納部に格納されていないと判断した場合に、前記サーバに格納されている当該端末のユーザ以外の他の全てのユーザの前記基本情報を送信すべき旨の前記送信要求を前記サーバに送信する請求項１１に記載の端末。
【請求項１７】
前記基本情報要求部は、前記端末側活動情報送受信部により前記活動情報に対応付けて受信された前記識別情報が前記端末側基本情報格納部に格納されていないと判断した場合に、当該識別情報に対応付けて前記サーバに格納されている前記基本情報を送信すべき旨の前記送信要求を前記サーバに送信する請求項１１に記載の端末。
【請求項１８】
前記端末側基本情報送受信部は、前記サーバから前記サーバに格納されている当該端末のユーザ以外の他の全てのユーザの前記基本情報を前記識別情報に対応付けて受信した場合に、前記端末側基本情報格納部に格納されている当該端末のユーザ以外の他の全てのユーザの前記基本情報および前記識別情報を、前記サーバから受信した前記基本情報および前記識別情報により更新する請求項１６に記載の端末。
【請求項１９】
前記端末側基本情報送受信部は、前記サーバから前記サーバに格納されている一の基本情報を前記識別情報に対応付けて受信した場合に、前記サーバから受信した当該一の基本情報を前記識別情報に対応付けて前記端末側基本情報格納部に格納する請求項１７に記載の端末。
【請求項２０】
前記基本情報要求部は、さらに、
前記端末側活動情報送受信部が、前記基本情報に対応付けて前記サーバに前記識別情報が格納されている当該端末のユーザ以外の他の全てのユーザの前記活動情報を前記識別情報に対応付けてまとめて受信した場合に、前記端末側基本情報格納部に格納されている当該端末のユーザ以外の他の全てのユーザの前記識別情報が、前記活動情報に対応付けて受信されたかどうかを判断し、
前記基本情報要求部は、前記端末側基本情報格納部に格納されている一のユーザの前記識別情報が、前記活動情報に対応付けて受信されなかったと判断した場合に、当該一の識別情報に対応付けて前記端末側基本情報格納部に格納されている前記基本情報を削除する請求項１４に記載の端末。
【請求項２１】
端末を使用するユーザを識別する識別情報に対応付けて前記ユーザの基本情報を格納するサーバを介して、他の端末との間で、前記ユーザの活動状態を示す活動情報を相互に出力すると共に、前記他の端末から出力された前記活動情報を表示する端末を制御するプログラムであって、前記端末に、
であって、
前記サーバとのあいだで、前記識別情報に対応付けて前記ユーザの前記基本情報を送受信する端末側基本情報送受信手順と、
前記識別情報に対応付けて前記基本情報を格納する端末側基本情報格納手順と、
前記サーバとのあいだで、前記識別情報に対応付けて前記ユーザの前記活動情報を送受信する端末側活動情報送受手順と、
前記端末側活動情報送受手順により前記活動情報が受信された場合に、当該活動情報に対応付けて受信された前記識別情報が前記端末側基本情報格納手順に格納されているかどうかを判断し、格納されていないと判断した場合に、前記サーバに格納されている前記基本情報を送信すべき旨の送信要求を前記サーバに送信する基本情報要求手順と
を実行させるプログラム。
【発明の詳細な説明】
【技術分野】
【０００１】
本発明は、活動情報送受信システムおよび端末に関する。特に、本発明は、端末のユーザの活動状態を示す活動情報を相互に通知する活動情報送受信システムおよび端末に関する。
【背景技術】
【０００２】
サーバを介してユーザの活動状態を示すプレゼンスを相互に通知し、表示するプレゼンス表示システムが知られている（例えば、特許文献１参照）。このようなプレゼンス表示システムによれば、サーバは、一のユーザから他のユーザに対する、プレゼンスを相互に通知する旨の要求を当該一のユーザから受信して、他のユーザに転送する。そしてサーバが他のユーザから当該要求に対する肯定的な応答を受信した場合に、両ユーザ間において、以後、プレゼンスを相互に通知する旨を登録する。両ユーザの端末は、プレゼンスを相互に通知する旨を登録がサーバになされる場合に、当該登録がなされた旨の情報および相手のユーザに関する情報をサーバから受信する。これにより、通知された他のユーザのプレゼンスとともに、端末に格納している当該他のユーザに関する情報を表示する。
【特許文献１】特開２００５−１９０２８７号公報
【発明の開示】
【発明が解決しようとする課題】
【０００３】
しかしながら、登録がなされた旨の情報、または、相手のユーザに関する情報がサーバから端末に正常に送信されなかった場合、通知されるものと認識していない他のユーザのプレゼンスが表示されるという不具合、または、他のユーザのプレゼンスとともに当該他のユーザに関する情報を表示できないという不具合が生じる。
【課題を解決するための手段】
【０００４】
上記課題を解決するために、本発明の第１の形態においては、他の端末との間で、端末のユーザの活動状態を示す活動情報を相互に通知すると共に、他の端末のそれぞれから通知された活動情報を表示する複数の端末と、複数の端末のそれぞれに対応付けられた複数のサーバとを備える活動情報送受信システムであって、サーバは、ユーザを識別する識別情報に対応付けてユーザの基本情報を格納するサーバ側基本情報格納部と、当該サーバに対応付けられた端末、および、他のサーバとのあいだで、識別情報に対応付けてユーザの基本情報を送受信するサーバ側基本情報送受信部と、当該サーバに対応付けられた端末、および、他のサーバとのあいだで、識別情報に対応付けてユーザの活動情報を送受信するサーバ側活動情報送受信とを有し、端末は、当該端末に対応付けられたサーバとのあいだで、識別情報に対応付けてユーザの基本情報を送受信する端末側基本情報送受信部と、識別情報に対応付けて基本情報を格納する端末側基本情報格納部と、当該端末に対応付けられたサーバとのあいだで、識別情報に対応付けてユーザの活動情報を送受信する端末側活動情報送受信部と、端末側活動情報送受信により活動情報が受信された場合に、当該活動情報に対応付けて受信された識別情報が端末側基本情報格納部に格納されているかどうかを判断し、格納されていないと判断した場合に、当該端末に対応付けられたサーバのサーバ側基本情報格納部に格納されている基本情報を送信すべき旨の送信要求を当該サーバのサーバ側基本情報送受信部に送信する基本情報要求部とを有する。これにより、端末側基本情報格納部に格納されていない基本情報をサーバ側基本情報格納部から取得するので、端末側基本情報格納部に格納される基本情報とサーバ側基本情報格納部とを一致させることができる。したがって、通知されるものと認識していない他のユーザの活動情報が表示されるという不具合、または、他のユーザの活動情報とともに当該他のユーザに関する情報を表示できないという不具合が解消する。
【０００５】
なお、上記の発明の概要は、本発明の必要な特徴の全てを列挙したものではなく、これらの特徴群のサブコンビネーションもまた、発明となりうる。
【発明を実施するための最良の形態】
【０００６】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【０００７】
図１は、活動情報送受信システム１０の概略図を模式的に示す。活動情報送受信システム１０は、携帯情報端末２０、２２、２４、２６、および、サーバ３０、３２、３４、３６を備える。以下、携帯情報端末２０はユーザＡ、携帯情報端末２２はユーザＢ、携帯情報端末２４はユーザＣ、携帯情報端末２６はユーザＤにより使用されるものとして説明する。
【０００８】
携帯情報端末２０は、端末の一例であって、例えば、スマートフォン（ｓｍａｒｔ  ｐｈｏｎｅ）である。携帯情報端末２０は、ディスプレイ２００および操作パネル３００を備える。携帯情報端末２０は、サーバ３０、ネットワーク７０およびサーバ３２を介して携帯情報端末２２と通信する。同様に、携帯情報端末２０は、サーバ３０、ネットワーク７０およびサーバ３４を介して携帯情報端末２４と通信し、サーバ３０、ネットワーク７０およびサーバ３６を介して携帯情報端末２６と通信する。例えば、携帯情報端末２０は、携帯情報端末２２との間で、ユーザＡ、ユーザＢの活動情報を相互に通知する。この場合、携帯情報端末２０は、携帯情報端末２２から通知された活動情報を表示する。
【０００９】
活動情報は、ユーザの活動状態を示す情報であって、一例としては、自宅に居ることを示す活動情報「自宅」である。また、活動情報はプレゼンスともいう。ネットワーク７０は、例えば、インターネットである。
【００１０】
サーバ３０は、例えば、ＳＩＰ（Ｓｅｓｓｉｏｎ  Ｉｎｉｔｉａｔｉｏｎ  Ｐｒｏｔｏｃｏｌ）サーバである。サーバ３０は携帯情報端末２０に対応付けられている。同様に、サーバ３２、３４、３６のそれぞれは、携帯情報端末２２、２４、２６のそれぞれに対応付けられている。
【００１１】
なお、携帯情報端末２２、２４、２６の機能および動作は、携帯情報端末２０の機能および動作と同一である。また、サーバ３２、３４、３６の機能および動作は、サーバ３０の機能および動作と同一である。
【００１２】
図２は、サーバ３０のブロック図の一例を示す。図３は、サーバ側基本情報格納部３５０に格納された情報の一例を示す。サーバ３０は、図３に示すように、サーバ側活動情報送受信部３１０、サーバ側基本情報送受信部３２０、サーバ側要求応答部３４０、サーバ側基本情報格納部３５０を備える。
【００１３】
サーバ側基本情報格納部３５０は、サーバ側自基本情報格納部３５２、および、サーバ側他基本情報格納部３５４を備える。サーバ側自基本情報格納部３５２は、サーバ３０に対応付けられた携帯情報端末２０のユーザＡを識別する識別情報に対応付けてユーザＡの基本情報を格納する。サーバ側他基本情報格納部３５４は、他の携帯情報端末のユーザを識別する識別情報に対応付けて他のユーザの基本情報を格納する。識別情報は、例えば、当該ユーザが使用する携帯情報端末の電話番号である。基本情報は、携帯情報端末のディスプレイに活動情報とともに表示される情報であって、例えば、ユーザ名、ユーザ画像、連絡手段などの情報が含まれる。
【００１４】
図３（ａ）に示す例において、サーバ側自基本情報格納部３５２は、電話番号「ＸＸＸ−ＸＸＸ−ＸＸＸＸＸ１」に対応付けてユーザ名「Ａさん」、ユーザ画像「ＡＡＡ．ｊｐｇ」などを格納する。図３（ｂ）に示す例において、サーバ側他基本情報格納部３５４は、電話番号「ＸＸＸ−ＸＸＸ−ＸＸＸＸＸ２」に対応付けてユーザ名「Ｂさん」、ユーザ画像「ＢＢＢ．ｊｐｇ」などを格納し、電話番号「ＸＸＸ−ＸＸＸ−ＸＸＸＸＸ３」に対応付けてユーザ名「Ｃさん」、ユーザ画像「ＣＣＣ．ｊｐｇ」などを格納している。なお、サーバ側自基本情報格納部３５２は、ユーザＡが活動情報送受信システム１０を利用するときにユーザＡからの入力などに基づいて上記情報を格納する。
【００１５】
サーバ側基本情報送受信部３２０は、サーバ３０に対応付けられた携帯情報端末２０、および、サーバ３２、３４、３６とのあいだで、識別情報に対応付けてユーザの基本情報を送受信する。
【００１６】
サーバ側活動情報送受信部３１０は、サーバ３０に対応付けられた携帯情報端末２０、および、サーバ３２、３４、３６とのあいだで、識別情報に対応付けてユーザの活動情報を送受信する。
【００１７】
サーバ側要求応答部３４０は、サーバ３０に対応付けられた携帯情報端末２０、および、サーバ３２、３４、３６とのあいだで、活動情報の通知に関する要求および応答を送受信する。活動情報の通知に関する要求は、他のユーザに活動情報の通知の開始を要求する開始要求、開始要求に対する応答、活動情報の通知の中止を要求する中止要求、中止要求に対する応答などである。
【００１８】
図４は、携帯情報端末２０のブロック図の一例を示す。図５は、端末側基本情報格納部２５０に格納された情報の一例を示す。図６は、携帯情報端末２０のディスプレイ２００に表示された情報の一例を示す。図４に示すように、端末側活動情報送受信部２１０、端末側基本情報送受信部２２０、基本情報要求部２３０、端末側要求応答部２４０、端末側基本情報格納部２５０を備える。
【００１９】
端末側基本情報送受信部２２０は、携帯情報端末２０に対応付けられたサーバ３０とのあいだで、識別情報に対応付けてユーザの基本情報を送受信する。例えば端末側基本情報送受信部２２０は、操作パネル３００を介してユーザＡから基本情報を送信する旨の入力を受け付けて、ユーザＡを識別する識別情報に対応付けて端末側基本情報格納部２５０に格納されているユーザＡの基本情報をサーバ３０に送信する。また、例えば端末側活動情報送受信部２１０は、ユーザＢを識別する識別情報に対応付けてユーザＢの基本情報、および、ユーザＣを識別する識別情報に対応付けてユーザＣの基本情報をサーバ３０から受信する。
【００２０】
端末側基本情報格納部２５０は、端末側自基本情報格納部２５２、および、端末側他基本情報格納部２５４を備える。端末側自基本情報格納部２５２は、操作パネル３００を介してユーザＡから基本情報の入力を受け付けて、ユーザＡを識別する識別情報に対応付けて受け付けた基本情報を格納する。端末側他基本情報格納部２５４は、端末側基本情報送受信部２２０により受信された他のユーザの基本情報を識別情報に対応付けて格納する。
【００２１】
図５に示す例において、端末側自基本情報格納部２５２は、電話番号「ＸＸＸ−ＸＸＸ−ＸＸＸＸＸ１」に対応付けてユーザ名「Ａさん」、ユーザ画像「ＡＡＡ．ｊｐｇ」などを格納する。図３（ｂ）に示す例において、端末側他基本情報格納部２５４は、電話番号「ＸＸＸ−ＸＸＸ−ＸＸＸＸＸ２」に対応付けてユーザ名「Ｂさん」、ユーザ画像「ＢＢＢ．ｊｐｇ」などを格納し、電話番号「ＸＸＸ−ＸＸＸ−ＸＸＸＸＸ３」に対応付けてユーザ名「Ｃさん」、ユーザ画像「ＣＣＣ．ｊｐｇ」などを格納している。
【００２２】
端末側活動情報送受信部２１０は、携帯情報端末２０に対応付けられたサーバ３０とのあいだで、識別情報に対応付けてユーザの活動情報を送受信する。例えば端末側活動情報送受信部２１０は、操作パネル３００を介してユーザＡから活動情報の選択の入力を受け付ける。そして端末側活動情報送受信部２１０は、ユーザＡを識別する識別情報に対応付けて受け付けた活動情報をサーバ３０に送信する。また、例えば端末側活動情報送受信部２１０は、ユーザＢを識別する識別情報に対応付けてユーザＢの活動情報、および、ユーザＣを識別する識別情報に対応付けてユーザＣの活動情報をサーバ３０から受信する。
【００２３】
端末側活動情報送受信部２１０は、サーバ３０から識別情報に対応付けてユーザの活動情報を受信した場合には、受信した識別情報に対応付けて端末側基本情報格納部２５０に格納されている基本情報、および、受信した活動情報をディスプレイ２００に対応付けて表示する。図６に示す例において、端末側活動情報送受信部２１０は、ユーザ画像「ＢＢＢ．ｊｐｇ」、ユーザ名「Ｂさん」および連絡手段とその可否を示す記号など基本情報に対応付けてユーザＢの活動情報「仕事」を表示し、ユーザ画像「ＣＣＣ．ｊｐｇ」、ユーザ名「Ｃさん」および連絡手段とその可否を示す記号など基本情報に対応付けてユーザＣの活動情報「自宅」をディスプレイ２００に表示している。
【００２４】
基本情報要求部２３０は、端末側活動情報送受信部２１０により活動情報に対応付けて受信された識別情報が端末側基本情報格納部２５０に格納されているかどうかを判断し、格納されていないと判断した場合に、携帯情報端末２０に対応付けられたサーバ３０のサーバ側基本情報格納部３５０に格納されている基本情報を送信すべき旨の送信要求をサーバ３０のサーバ側基本情報送受信部３２０に送信する。
【００２５】
端末側要求応答部２４０は、他の携帯情報端末に送信する活動情報の通知に関する要求および応答を、操作パネル３００を介してユーザＡから受け付ける。端末側要求応答部２４０は、受け付けた活動情報の通知に関する要求および応答を、携帯情報端末２０に対応付けられたサーバ３０に送信する。ここで活動情報の通知に関する要求は、他のユーザに活動情報の通知の開始を要求する開始要求、開始要求に対する応答、活動情報の通知の中止を要求する中止要求、中止要求に対する応答などである。
【００２６】
また、端末側要求応答部２４０は、他の携帯情報端末から送信された活動情報の通知に関する要求および応答を、携帯情報端末２０に対応付けられたサーバ３０から受信する。端末側要求応答部２４０は、サーバ３０から活動情報の通知に関する要求および応答を受信した場合には、受信した活動情報の通知に関する要求および応答をディスプレイ２００に表示する。
【００２７】
図７は、活動情報送受信システム１０の動作の一例を示すフローチャートである。図８は、サーバ側他基本情報格納部３５４および端末側他基本情報格納部２５４に格納された情報の一例を示す。図９は、サーバ側他基本情報格納部３５４、および、端末側他基本情報格納部２５４に格納された情報の一例を示す。図７に示すフローチャートは、携帯情報端末２０の端末側要求応答部２４０が、ユーザＡから開始要求を送信する旨の入力を受け付けることにより開始する。ここでは、端末側要求応答部２４０は、ユーザＤに活動情報の通知の開始を要求する開始要求を送信する旨の入力をユーザＡから受け付けたものとする。
【００２８】
なお、本フローチャートの開始時において、サーバ３０のサーバ側自基本情報格納部３５２は図３（ａ）に示す情報を、サーバ３０のサーバ側他基本情報格納部３５４は図３（ｂ）に示す情報を、携帯情報端末２０の端末側自基本情報格納部２５２は図５（ａ）に示す情報を、携帯情報端末２０の端末側他基本情報格納部２５４は図５（ｂ）に示す情報をそれぞれ格納しているものとする。また、サーバ３６のサーバ側自基本情報格納部３５２はユーザＤの基本情報を格納しているものとする。また、本フローチャートの左端は携帯情報端末２０の動作を、左から２番目はサーバ３０の動作を、左から３番目はサーバ３６の動作を、右端は携帯情報端末２６の動作をそれぞれ示す。
【００２９】
本フローチャートにおいて、まず、携帯情報端末２０の端末側要求応答部２４０は、ユーザＤに活動情報の通知の開始を要求する開始要求をサーバ３０のサーバ側要求応答部３４０に送信する（Ｓ１００）。
【００３０】
サーバ３０のサーバ側要求応答部３４０は、サーバ３６のサーバ側要求応答部３４０に当該開始要求を送信する（Ｓ１０５）。サーバ３０のサーバ側基本情報送受信部３２０は、サーバ側自基本情報格納部３５２に格納されているユーザＡの基本情報を、サーバ３６のサーバ側基本情報送受信部３２０に送信する（Ｓ１１０）。
【００３１】
サーバ３６のサーバ側要求応答部３４０は、携帯情報端末２６の端末側要求応答部２４０に当該開始要求を送信する（Ｓ１１５）。
【００３２】
携帯情報端末２６の端末側要求応答部２４０は、ディスプレイ２０６に当該開始要求を表示する。携帯情報端末２６の端末側要求応答部２４０は、携帯情報端末２６のユーザＤから当該開始要求に対する応答を受け付ける。例えば、携帯情報端末２６の端末側要求応答部２４０は、当該開始要求を承認する承認ボタン、または、当該開始要求を拒否する拒否ボタンのクリックを受け付ける。携帯情報端末２６の端末側要求応答部２４０は、当該開始要求に対する応答をサーバ３６のサーバ側要求応答部３４０に送信する（Ｓ１２０）。
【００３３】
サーバ３６のサーバ側要求応答部３４０は、当該開始要求に対する応答が肯定的な応答であるか否かを判断する（Ｓ１２５）。ステップＳ１２５において、サーバ３６のサーバ側要求応答部３４０が当該開始要求に対する応答が肯定的な応答であると判断した場合に（Ｓ１２５：Ｙｅｓ）、サーバ３６のサーバ側他基本情報格納部３５４は、ステップＳ１１０においてサーバ３０のサーバ側基本情報送受信部３２０から送信されたユーザＡの基本情報を格納する（Ｓ１３０）。
【００３４】
ステップＳ１３０に続いて、サーバ３６のサーバ側要求応答部３４０は、サーバ３０のサーバ側要求応答部３４０に当該開始要求に対する応答を送信する（Ｓ１３５）。また、サーバ３６のサーバ側基本情報送受信部３２０は、サーバ３６のサーバ側自基本情報格納部３５２に格納されているユーザＤの基本情報を、サーバ３０のサーバ側基本情報送受信部３２０に送信する（Ｓ１４０）。
【００３５】
サーバ３０のサーバ側要求応答部３４０は、当該開始要求に対する応答が肯定的な応答であるか否かを判断する（Ｓ１４５）。ステップＳ１４５において、サーバ３０のサーバ側要求応答部３４０が当該開始要求に対する応答が肯定的な応答であると判断した場合には（Ｓ１４５：Ｙｅｓ）、サーバ３０のサーバ側他基本情報格納部３５４は、ステップＳ１４０においてサーバ３６のサーバ側基本情報送受信部３２０から送信されたユーザＤの基本情報を格納する（Ｓ１５０）。
【００３６】
ステップＳ１５０に続いて、サーバ３０のサーバ側要求応答部３４０は、携帯情報端末２０の端末側要求応答部２４０に当該開始要求に対する応答を送信する（Ｓ１５５）。また、サーバ３０のサーバ側基本情報送受信部３２０は、ステップＳ１４０においてサーバ３６のサーバ側基本情報送受信部３２０から送信されたユーザＤの基本情報を、携帯情報端末２０の端末側基本情報送受信部２２０に送信する（Ｓ１６０）。
【００３７】
携帯情報端末２０の端末側要求応答部２４０は、当該開始要求に対する応答が肯定的な応答であるか否かを判断する（Ｓ１６５）。ステップＳ１６５において、携帯情報端末２０の端末側要求応答部２４０が当該開始要求に対する応答が肯定的な応答であると判断した場合には（Ｓ１６５：Ｙｅｓ）、端末側他基本情報格納部２５４は、ステップＳ１６０においてサーバ３０のサーバ側基本情報送受信部３２０から送信されたユーザＤの基本情報を格納する（Ｓ１７０）。そして本フローチャートは終了する。
【００３８】
一方、ステップＳ１２５において、サーバ３６のサーバ側要求応答部３４０は、当該開始要求に対する応答が肯定的な応答でないと判断した場合に（Ｓ１２５：Ｎｏ）、サーバ３０のサーバ側要求応答部３４０に当該開始要求に対する応答を送信する（Ｓ１７５）。
【００３９】
一方、ステップＳ１４５において、サーバ３０のサーバ側要求応答部３４０は当該開始要求に対する応答が肯定的な応答でないと判断した場合には（Ｓ１４５：Ｎｏ）、サーバ３０のサーバ側要求応答部３４０は、携帯情報端末２０の端末側要求応答部２４０に当該開始要求に対する応答を送信する（Ｓ１８０）。
【００４０】
一方、ステップＳ１６５において、携帯情報端末２０の端末側要求応答部２４０は当該開始要求に対する応答が肯定的な応答でないと判断した場合には（Ｓ１６５：Ｎｏ）、ステップＳ１７０を飛ばして本フローチャートは終了する。
【００４１】
図７に示すフローチャートによれば、ステップＳ１２０において携帯情報端末２６の端末側要求応答部２４０が当該開始要求に対する肯定的な応答をサーバ３６のサーバ側要求応答部３４０に送信した場合に、ステップＳ１５０においてサーバ３０のサーバ側他基本情報格納部３５４は、図８（ａ）に示すようにユーザＤの基本情報を新たに格納する。またこの場合に、ステップＳ１７０において携帯情報端末２０の端末側他基本情報格納部２５４は、図８（ｂ）に示すようにユーザＤの基本情報を新たに格納する。一方、ステップＳ１２０において携帯情報端末２６の端末側要求応答部２４０が当該開始要求に対する否定的な応答をサーバ３６のサーバ側要求応答部３４０に送信した場合は、サーバ３０のサーバ側他基本情報格納部３５４、および、携帯情報端末２０の端末側他基本情報格納部２５４は、新たにユーザＤの基本情報を格納しない。以上から、サーバ側他基本情報格納部３５４に格納される基本情報と端末側他基本情報格納部２５４に格納される基本情報とは原則一致する。
【００４２】
しかしながら、ステップＳ１５０においてサーバ３０のサーバ側他基本情報格納部３５４がユーザＤの基本情報を新たに格納した後に、ステップＳ１７０において携帯情報端末２０の端末側他基本情報格納部２５４がユーザＤの基本情報を格納しない場合には、図９に示すように、サーバ側他基本情報格納部３５４に格納される基本情報と端末側他基本情報格納部２５４に格納される基本情報とは不一致となる。例えば、ステップＳ１５５の当該開始要求に対する応答の送信が正常に終了しなかったとき、ステップＳ１６０のユーザＤの基本情報の送信が正常に終了しなかったときなどに、サーバ側他基本情報格納部３５４に格納される基本情報と端末側他基本情報格納部２５４に格納される基本情報とは不一致となる。
【００４３】
なお、ステップＳ１０５においてサーバ３０のサーバ側要求応答部３４０は開始要求を送信し、ステップＳ１１０においてサーバ３０のサーバ側基本情報送受信部３２０はユーザＡの基本情報を送信している。これにかえて、ユーザＡの基本情報を含む開始要求を送信してもよい。例えば、サーバ３０のサーバ側基本情報送受信部３２０は、ユーザＡの基本情報をサーバ３０のサーバ側要求応答部３４０に受け渡す。そしてサーバ３０のサーバ側要求応答部３４０は、ユーザＡの基本情報を含む開始要求をサーバ３６のサーバ側要求応答部３４０に送信してもよい。なお、ユーザＡの基本情報を含む開始要求を受信したサーバ３６のサーバ側要求応答部３４０は、開始要求に含まれるユーザＡの基本情報をサーバ３６のサーバ側基本情報送受信部３２０に受け渡す。同様に、サーバ３６のサーバ側要求応答部３４０は、ユーザＤの基本情報を含む開始要求に対する応答をサーバ３０のサーバ側要求応答部３４０に送信してもよい。また、サーバ３０のサーバ側要求応答部３４０は、ユーザＤの基本情報を含む開始要求に対する応答を携帯情報端末２０の端末側要求応答部２４０に送信してもよい。
【００４４】
さらに、基本情報を含む開始要求の送信にかえて、サーバ３０のサーバ側基本情報送受信部３２０は、サーバ３６のサーバ側基本情報送受信部３２０からの要求に基づいてユーザＡの基本情報を送信してもよい。一例として、ステップＳ１２５においてサーバ３６のサーバ側要求応答部３４０が当該開始要求に対する応答が肯定的な応答であると判断した場合に（Ｓ１２５：Ｙｅｓ）、サーバ３６のサーバ側基本情報送受信部３２０はサーバ３０のサーバ側基本情報送受信部３２０にユーザＡの基本情報の送信を要求し、サーバ３０のサーバ側基本情報送受信部３２０は当該要求に基づいてユーザＡの基本情報をサーバ３６のサーバ側基本情報送受信部３２０に送信してもよい。同様に、サーバ３６のサーバ側基本情報送受信部３２０は、サーバ３０のサーバ側基本情報送受信部３２０からの要求に基づいてユーザＤの基本情報をサーバ３０のサーバ側基本情報送受信部３２０に送信してもよい。また、サーバ３０のサーバ側基本情報送受信部３２０は、携帯情報端末２０の端末側基本情報送受信部２２０からの要求に基づいてユーザＤの基本情報を携帯情報端末２０の端末側基本情報送受信部２２０に送信してもよい。
【００４５】
なお、図７に示すフローチャートのステップＳ１２５において、サーバ３６のサーバ側要求応答部３４０が当該開始要求に対する応答が肯定的な応答であると判断した場合に（Ｓ１２５：Ｙｅｓ）、サーバ側他基本情報格納部３５４は、ユーザＡの基本情報を、携帯情報端末２６の端末側基本情報送受信部２２０に送信してもよい。これにより、携帯情報端末２６の端末側他基本情報格納部２５４が、ユーザＡの基本情報を格納してもよい。
【００４６】
図１０は、活動情報送受信システム１０の動作の一例を示すフローチャートである。図１１は、サーバ側他基本情報格納部３５４および端末側他基本情報格納部２５４に格納された情報の一例を示す。図１２は、サーバ側他基本情報格納部３５４および端末側他基本情報格納部２５４に格納された情報の一例を示す。図１０に示すフローチャートは、携帯情報端末２０の端末側要求応答部２４０が、ユーザＡから中止要求を送信する旨の入力を受け付けることにより開始する。ここでは、端末側要求応答部２４０は、ユーザＣに活動情報の通知の中止を要求する中止要求を送信する旨の入力をユーザＡから受け付けたものとする。
【００４７】
なお、本フローチャートの開始時において、サーバ３０のサーバ側他基本情報格納部３５４は図３（ｂ）に示す情報を、携帯情報端末２０の端末側他基本情報格納部２５４は図５（ｂ）に示す情報をそれぞれ格納しているものとする。また、サーバ３４のサーバ側自基本情報格納部３５２はユーザＡの基本情報を格納しているものとする。また、本フローチャートの左端は携帯情報端末２０の動作を、左から２番目はサーバ３０の動作を、左から３番目はサーバ３４の動作を、右端は携帯情報端末２４の動作をそれぞれ示す。
【００４８】
本フローチャートにおいて、まず、携帯情報端末２０の端末側要求応答部２４０はユーザＤに活動情報の通知の中止を要求する中止要求をサーバ３０のサーバ側要求応答部３４０に送信する（Ｓ２００）。
【００４９】
サーバ３０のサーバ側要求応答部３４０は、サーバ３４のサーバ側要求応答部３４０に当該中止要求を送信する（Ｓ２０５）。
【００５０】
サーバ３４のサーバ側要求応答部３４０は、携帯情報端末２４の端末側要求応答部２４０に当該中止要求を送信する（Ｓ２１５）。
【００５１】
携帯情報端末２４の端末側要求応答部２４０は、ディスプレイ２０６に当該中止要求を表示する。携帯情報端末２４の端末側要求応答部２４０は、携帯情報端末２４のユーザＣから当該中止要求に対する応答を受け付ける。例えば、携帯情報端末２４の端末側要求応答部２４０は、当該中止要求を承認する承認ボタン、または、当該中止要求を拒否する拒否ボタンのクリックを受け付ける。携帯情報端末２４の端末側要求応答部２４０は、当該中止要求に対する応答をサーバ３４のサーバ側要求応答部３４０に送信する（Ｓ２２０）。
【００５２】
サーバ３４のサーバ側要求応答部３４０は、当該中止要求に対する応答が肯定的な応答であるか否かを判断する（Ｓ２２５）。ステップＳ２２５において、サーバ３４のサーバ側要求応答部３４０が当該中止要求に対する応答が肯定的な応答であると判断した場合に（Ｓ２２５：Ｙｅｓ）、サーバ３４のサーバ側他基本情報格納部３５４は、ユーザＡの基本情報を削除する（Ｓ２３０）。
【００５３】
ステップＳ２３０に続いて、サーバ３４のサーバ側要求応答部３４０は、サーバ３０のサーバ側要求応答部３４０に当該中止要求に対する応答を送信する（Ｓ２３５）。
【００５４】
サーバ３０のサーバ側要求応答部３４０は、当該中止要求に対する応答が肯定的な応答であるか否かを判断する（Ｓ２４５）。ステップＳ２４５において、サーバ３０のサーバ側要求応答部３４０が当該中止要求に対する応答が肯定的な応答であると判断した場合に（Ｓ２４５：Ｙｅｓ）、サーバ３０のサーバ側他基本情報格納部３５４は、ユーザＣの基本情報を削除する（Ｓ２５０）。
【００５５】
ステップＳ２５０に続いて、サーバ３０のサーバ側要求応答部３４０は、携帯情報端末２０の端末側要求応答部２４０に当該中止要求に対する応答を送信する（Ｓ２５５）。
【００５６】
携帯情報端末２０の端末側要求応答部２４０は、当該中止要求に対する応答が肯定的な応答であるか否かを判断する（Ｓ２６５）。ステップＳ２６５において、携帯情報端末２０の端末側要求応答部２４０が当該中止要求に対する応答が肯定的な応答であると判断した場合に（Ｓ２６５：Ｙｅｓ）、携帯情報端末２０の端末側他基本情報格納部２５４は、ユーザＣの基本情報を削除する（Ｓ２７０）。そして本フローチャートは終了する。
【００５７】
一方、ステップＳ２２５において、サーバ３４のサーバ側要求応答部３４０は当該中止要求に対する応答が肯定的な応答でないと判断した場合に（Ｓ２２５：Ｎｏ）、サーバ３０のサーバ側要求応答部３４０に当該中止要求に対する応答を送信する（Ｓ２７５）。
【００５８】
一方、ステップＳ２４５において、サーバ３０のサーバ側要求応答部３４０は、当該中止要求に対する応答が肯定的な応答でないと判断した場合に（Ｓ２４５：Ｎｏ）、携帯情報端末２０の端末側要求応答部２４０に当該中止要求に対する応答を送信する（Ｓ２８０）。
【００５９】
一方、ステップＳ２６５において、携帯情報端末２０の端末側要求応答部２４０は当該中止要求に対する応答が肯定的な応答でないと判断した場合には（Ｓ２６５：Ｎｏ）、ステップＳ１７０を飛ばして本フローチャートは終了する。
【００６０】
図１０に示すフローチャートによれば、ステップＳ２２０において携帯情報端末２４の端末側要求応答部２４０が当該中止要求に対する肯定的な応答をサーバ３４のサーバ側要求応答部３４０に送信した場合には、ステップＳ２５０においてサーバ３０のサーバ側他基本情報格納部３５４は、図１１（ａ）に示すようにユーザＣの基本情報を削除する。またこの場合には、ステップＳ２７０において携帯情報端末２０の端末側他基本情報格納部２５４は、図１１（ｂ）に示すようにユーザＣの基本情報を削除する。一方、ステップＳ２２０において携帯情報端末２４の端末側要求応答部２４０が当該中止要求に対する否定的な応答をサーバ３４のサーバ側要求応答部３４０に送信した場合には、サーバ３０のサーバ側他基本情報格納部３５４、および、携帯情報端末２０の端末側他基本情報格納部２５４は、ユーザＣの基本情報を削除しない。以上から、サーバ側他基本情報格納部３５４に格納される基本情報と端末側他基本情報格納部２５４に格納される基本情報とは原則一致する。
【００６１】
しかしながら、ステップＳ２５０においてサーバ３０のサーバ側他基本情報格納部３５４がユーザＣの基本情報を削除した後に、ステップＳ２７０において携帯情報端末２０の端末側他基本情報格納部２５４がユーザＣの基本情報を削除しない場合には、図１２に示すように、サーバ側他基本情報格納部３５４に格納される基本情報と端末側他基本情報格納部２５４に格納される基本情報とは不一致となる。例えば、ステップＳ２５５の当該中止要求に対する応答の送信が正常に終了しなかったときなどに、サーバ側他基本情報格納部３５４に格納される基本情報と端末側他基本情報格納部２５４に格納される基本情報とは不一致となる。
【００６２】
なお、図１０に示すフローチャートのステップＳ２００において、携帯情報端末２４の端末側要求応答部２４０が、当該中止要求に対する肯定的な応答をサーバ３４のサーバ側要求応答部３４０に送信した場合に（Ｓ２２０）、携帯情報端末２４の端末側他基本情報格納部２５４は、ユーザＡの基本情報を削除してもよい。
【００６３】
図１３は、活動情報送受信システム１０の動作の一例を示すフローチャートである。図１３に示すフローチャートは、携帯情報端末２０がサーバ３０にログインすることにより開始する。また、本フローチャートの左側は携帯情報端末２０の動作を、右側はサーバ３０の動作をそれぞれ示す。
【００６４】
本フローチャートにおいて、まず、サーバ３０のサーバ側活動情報送受信部３１０は、サーバ３０のサーバ側他基本情報格納部３５４に識別情報が格納されている全ユーザの活動情報を識別情報に対応付けて携帯情報端末２０の端末側活動情報送受信部２１０に送信する（Ｓ３００）。携帯情報端末２０の端末側活動情報送受信部２１０は、活動情報に対応付けて受信した識別情報を携帯情報端末２０の基本情報要求部２３０に受け渡す。
【００６５】
携帯情報端末２０の基本情報要求部２３０は、携帯情報端末２０の端末側活動情報送受信部２１０から受け渡された識別情報が携帯情報端末２０の端末側他基本情報格納部２５４に格納されている識別情報と過不足なく一致するか否かを判断する（Ｓ３０５）。
【００６６】
ステップＳ３０５において、携帯情報端末２０の基本情報要求部２３０が活動情報に対応付けて受信された識別情報が端末側他基本情報格納部２５４に格納されている識別情報と過不足なく一致していないと判断した場合に（Ｓ３０５：Ｎｏ）、携帯情報端末２０の基本情報要求部２３０は、サーバ３０のサーバ側他基本情報格納部３５４に格納されている全ての基本情報を送信すべき旨の送信要求をサーバ３０のサーバ側基本情報送受信部３２０に送信する（Ｓ３１０）。
【００６７】
サーバ３０のサーバ側基本情報送受信部３２０は、携帯情報端末２０の基本情報要求部２３０から基本情報を送信すべき旨の送信要求を受信したか否かを判断する（Ｓ３１５）。
【００６８】
ステップＳ３１５において、サーバ３０のサーバ側基本情報送受信部３２０は、携帯情報端末２０の基本情報要求部２３０から基本情報を送信すべき旨の送信要求を受信したと判断した場合に（Ｓ３１５：Ｙｅｓ）、サーバ３０のサーバ側他基本情報格納部３５４に格納されている全ユーザの基本情報を識別情報に対応付けて携帯情報端末２０の端末側基本情報送受信部２２０に送信する（Ｓ３２０）。
【００６９】
携帯情報端末２０の端末側他基本情報格納部２５４は、格納している基本情報および識別情報にかえて、携帯情報端末２０の端末側基本情報送受信部２２０により受信された全ユーザの基本情報を識別情報に対応付けて格納する（Ｓ３２５）。
【００７０】
携帯情報端末２０の端末側活動情報送受信部２１０は、ステップＳ３００において受信した活動情報、および、携帯情報端末２０の端末側他基本情報格納部２５４に格納されている基本情報をディスプレイ２００に対応付けて表示する（Ｓ３４０）。そして本フローチャートは終了する。
【００７１】
一方、ステップＳ３０５において、携帯情報端末２０の基本情報要求部２３０は、活動情報に対応付けて受信された識別情報が携帯情報端末２０の端末側他基本情報格納部２５４に格納されている識別情報と過不足なく一致していると判断した場合に（Ｓ３０５：Ｙｅｓ）、ステップＳ３１０からステップＳ３２５を飛ばしてステップＳ３４０を実行して、本フローチャートは終了する。
【００７２】
一方、ステップＳ３１５において、サーバ３０のサーバ側基本情報送受信部３２０は、携帯情報端末２０の基本情報要求部２３０から基本情報を送信すべき旨の送信要求を受信していないと判断した場合に（Ｓ３１５：Ｎｏ）、ステップＳ３２０を飛ばして本フローチャートは終了する。
【００７３】
以上、本フローチャートによれば、サーバ側他基本情報格納部３５４に格納されている基本情報と端末側他基本情報格納部２５４に格納されている基本情報とを一致させることができる。したがって、通知されるものと認識していない他のユーザのプレゼンスが表示されるという不具合、または、他のユーザのプレゼンスとともに当該他のユーザに関する情報を表示できないという不具合が解消する。
【００７４】
例えば、本フローチャートの開始時に、サーバ３０のサーバ側他基本情報格納部３５４は図９（ａ）に示す情報を、携帯情報端末２０の端末側他基本情報格納部２５４は図９（ｂ）に示す情報をそれぞれ格納している場合に、本フローチャートに示す処理を実行することにより、携帯情報端末２０の端末側他基本情報格納部２５４は、図８（ｂ）に示す基本情報を格納することとなる。このように、携帯情報端末２０の端末側他基本情報格納部２５４に格納されている基本情報がサーバ側他基本情報格納部３５４に格納されている基本情報よりも少ない場合であっても、サーバ側他基本情報格納部３５４に格納されている基本情報と端末側他基本情報格納部２５４に格納されている基本情報とを一致させることができる。
【００７５】
また例えば、本フローチャートの開始時において、サーバ３０のサーバ側他基本情報格納部３５４は図１２（ａ）に示す情報を、携帯情報端末２０の端末側他基本情報格納部２５４は図１２（ｂ）に示す情報をそれぞれ格納している場合に、本フローチャートに示す処理を実行することにより、携帯情報端末２０の端末側他基本情報格納部２５４は、図１１（ｂ）に示す基本情報を格納することとなる。このように、携帯情報端末２０の端末側他基本情報格納部２５４に格納されている基本情報がサーバ側他基本情報格納部３５４に格納されている基本情報よりも多い場合であっても、サーバ側他基本情報格納部３５４に格納されている基本情報と端末側他基本情報格納部２５４に格納されている基本情報とを一致させることができる。
【００７６】
すなわち、図１３に示すフローチャートによれば、サーバ側他基本情報格納部３５４に格納されている基本情報と端末側他基本情報格納部２５４に格納されている基本情報とが不一致であった場合に、端末側他基本情報格納部２５４に格納される基本情報をサーバ側他基本情報格納部３５４に格納される基本情報によって置き換える。これにより、サーバ側他基本情報格納部３５４に格納されている基本情報と端末側他基本情報格納部２５４に格納されている基本情報とを一致させることができる。
【００７７】
なお、図１３に示すフローチャートは、携帯情報端末２０がサーバ３０にログインしたときに加えて、ログインしたのちに定期的に、開始する。これにより、ログイン後にサーバ側他基本情報格納部３５４に格納されている基本情報と端末側他基本情報格納部２５４に格納されている基本情報とが不一致となった場合に、再度ログインすることなくサーバ側他基本情報格納部３５４に格納されている基本情報と端末側他基本情報格納部２５４に格納されている基本情報とを一致させることができる。
【００７８】
図１４は、活動情報送受信システム１０の他の動作の一例を示すフローチャートである。本フローチャートは、サーバ３０のサーバ側活動情報送受信部３１０が、識別情報に対応付けて一のユーザの活動情報を他のサーバのサーバ側活動情報送受信部３１０から受信することにより開始する。なお、サーバ３０のサーバ側活動情報送受信部３１０が当該活動情報に対応付けて受信する識別情報は、サーバ３０のサーバ側他基本情報格納部３５４に格納されているものとする。また、本フローチャートの左側は携帯情報端末２０の動作を、右側はサーバ３０の動作をそれぞれ示す。
【００７９】
本フローチャートにおいて、まず、サーバ３０のサーバ側活動情報送受信部３１０は、他のサーバのサーバ側活動情報送受信部３１０から受信した一のユーザの活動情報を識別情報に対応付けて携帯情報端末２０の端末側活動情報送受信部２１０に送信する（Ｓ４００）。すなわち、サーバ３０のサーバ側活動情報送受信部３１０は、サーバ３０のサーバ側他基本情報格納部３５４に格納されている一のユーザの活動情報を識別情報に対応付けて携帯情報端末２０の端末側活動情報送受信部２１０に送信する。携帯情報端末２０の端末側活動情報送受信部２１０は、活動情報に対応付けて受信した識別情報を携帯情報端末２０の基本情報要求部２３０に受け渡す。
【００８０】
携帯情報端末２０の基本情報要求部２３０は、携帯情報端末２０の端末側活動情報送受信部２１０から受け渡された識別情報が携帯情報端末２０の端末側他基本情報格納部２５４に格納されているか否かを判断する（Ｓ４０５）。
【００８１】
ステップＳ４０５において、携帯情報端末２０の基本情報要求部２３０は、携帯情報端末２０の端末側活動情報送受信部２１０から受け渡された識別情報が携帯情報端末２０の端末側他基本情報格納部２５４に格納されていないと判断した場合に（Ｓ４０５：Ｙｅｓ）、サーバ３０のサーバ側他基本情報格納部３５４に格納されている全ての基本情報を送信すべき旨の送信要求をサーバ３０のサーバ側基本情報送受信部３２０に送信する（Ｓ４１０）。
【００８２】
一方、ステップＳ４０５において、携帯情報端末２０の基本情報要求部２３０は、携帯情報端末２０の端末側活動情報送受信部２１０から受け渡された識別情報が携帯情報端末２０の端末側他基本情報格納部２５４に格納されていると判断した場合に（Ｓ４０５：Ｎｏ）、ステップＳ４４０に進む。
【００８３】
なお、以下、ステップＳ４１５、Ｓ４２０、Ｓ４２５、Ｓ４４０は、図１３に示すステップＳ３１５、Ｓ３２０、Ｓ４２５、Ｓ４４０と同一なので説明を省略する。
【００８４】
以上、本フローチャートによれば、サーバ側他基本情報格納部３５４に格納されている基本情報と端末側他基本情報格納部２５４に格納されている基本情報とを一致させることができる。したがって、通知されるものと認識していない他のユーザのプレゼンスが表示されるという不具合、または、他のユーザのプレゼンスとともに当該他のユーザに関する情報を表示できないという不具合が解消する。
【００８５】
例えば、本フローチャートの開始時に、サーバ３０のサーバ側他基本情報格納部３５４は図９（ａ）に示す情報を、携帯情報端末２０の端末側他基本情報格納部２５４は図９（ｂ）に示す情報をそれぞれ格納している場合に、ステップＳ４００においてサーバ３０のサーバ側活動情報送受信部３１０がユーザＤの活動情報を識別情報に対応付けて携帯情報端末２０の端末側活動情報送受信部２１０に送信したときは、本フローチャートに示す処理を実行することにより、携帯情報端末２０の端末側他基本情報格納部２５４は、図８（ｂ）に示す基本情報を格納することとなる。このように、携帯情報端末２０の端末側他基本情報格納部２５４に格納されている基本情報がサーバ側他基本情報格納部３５４に格納されている基本情報よりも少ない場合であっても、サーバ側他基本情報格納部３５４に格納されている基本情報と端末側他基本情報格納部２５４に格納されている基本情報とを一致させることができる。
【００８６】
すなわち、図１４に示すフローチャートによれば、携帯情報端末２０の端末側他基本情報格納部２５４に格納されている基本情報がサーバ側他基本情報格納部３５４に格納されている基本情報よりも少ない場合に、端末側他基本情報格納部２５４に格納される基本情報をサーバ側他基本情報格納部３５４に格納される基本情報によって置き換える。これにより、サーバ側他基本情報格納部３５４に格納されている基本情報と端末側他基本情報格納部２５４に格納されている基本情報とを一致させることができる。特に、他の全てのユーザの活動情報を受信する周期が長く設定されている場合などにおいて、速やかに基本情報を一致させることができる。
【００８７】
図１５は、活動情報送受信システム１０の他の動作の一例を示すフローチャートである。図１５に示すフローチャートは、携帯情報端末２０がサーバ３０にログインすることにより開始する。また、本フローチャートの左側は携帯情報端末２０の動作を、右側はサーバ３０の動作をそれぞれ示す。
【００８８】
本フローチャートにおいて、まず、サーバ３０のサーバ側活動情報送受信部３１０は、サーバ側他基本情報格納部３５４に識別情報が格納されている全ユーザの活動情報を識別情報に対応付けて携帯情報端末２０の端末側活動情報送受信部２１０に送信する（Ｓ５００）。携帯情報端末２０の端末側活動情報送受信部２１０は、活動情報に対応付けて受信した識別情報を携帯情報端末２０の基本情報要求部２３０に受け渡す。
【００８９】
携帯情報端末２０の基本情報要求部２３０は、携帯情報端末２０の端末側活動情報送受信部２１０から受け渡された識別情報が携帯情報端末２０の端末側他基本情報格納部２５４に格納されているか否かを判断する（Ｓ５０５）。
【００９０】
ステップＳ５０５において、携帯情報端末２０の基本情報要求部２３０は、携帯情報端末２０の端末側活動情報送受信部２１０から受け渡された識別情報が携帯情報端末２０の端末側他基本情報格納部２５４に格納されていないと判断した場合に（Ｓ５０５：Ｎｏ）、当該識別情報に対応付けてサーバ３０のサーバ側他基本情報格納部３５４に格納されている基本情報を送信すべき旨の送信要求をサーバ３０のサーバ側基本情報送受信部３２０に送信する（Ｓ５１０）。
【００９１】
サーバ３０のサーバ側基本情報送受信部３２０は、携帯情報端末２０の基本情報要求部２３０から基本情報を送信すべき旨の送信要求を受信したか否かを判断する（Ｓ５１５）。
【００９２】
ステップＳ５１５において、サーバ３０のサーバ側基本情報送受信部３２０は、携帯情報端末２０の基本情報要求部２３０から基本情報を送信すべき旨の送信要求を受信したと判断した場合に（Ｓ５１５：Ｙｅｓ）、当該識別情報に対応付けてサーバ３０のサーバ側他基本情報格納部３５４に格納されている基本情報を識別情報に対応付けて携帯情報端末２０の端末側基本情報送受信部２２０に送信する（Ｓ５２０）。
【００９３】
携帯情報端末２０の端末側他基本情報格納部２５４は、格納している基本情報および識別情報に加えて、携帯情報端末２０の端末側基本情報送受信部２２０により受信された基本情報を識別情報に対応付けて格納する（Ｓ５２５）。
【００９４】
携帯情報端末２０の基本情報要求部２３０は、携帯情報端末２０の端末側他基本情報格納部２５４に基本情報に対応付けて格納されている全てのユーザの識別情報が、携帯情報端末２０の端末側活動情報送受信部２１０から受け渡されたか否かを判断する（Ｓ５３０）。
【００９５】
ステップＳ５３０において、携帯情報端末２０の基本情報要求部２３０は、携帯情報端末２０の端末側他基本情報格納部２５４に基本情報に対応付けて格納されている全てのユーザの識別情報が、携帯情報端末２０の端末側活動情報送受信部２１０から受け渡されていないと判断した場合に（Ｓ５３０：Ｎｏ）、受信されていないと判断した一の識別情報に対応付けて携帯情報端末２０の端末側他基本情報格納部２５４に格納されている基本情報を削除する（Ｓ５３５）。
【００９６】
携帯情報端末２０の端末側活動情報送受信部２１０は、ステップＳ５００において受信した活動情報、および、携帯情報端末２０の端末側他基本情報格納部２５４に格納されている基本情報をディスプレイ２００に対応付けて表示する（Ｓ５４０）。そして本フローチャートは終了する。
【００９７】
一方、ステップＳ５０５において、携帯情報端末２０の基本情報要求部２３０は端末側活動情報送受信部２１０から受け渡された識別情報が端末側他基本情報格納部２５４に格納されていると判断した場合に（Ｓ５０５：Ｙｅｓ）、ステップＳ５１０からステップＳ５２５を飛ばしてステップＳ５３０を実行する。
【００９８】
一方、ステップＳ５１５において、サーバ３０のサーバ側基本情報送受信部３２０は、携帯情報端末２０の基本情報要求部２３０から基本情報を送信すべき旨の送信要求を受信していないと判断した場合に（Ｓ５１５：Ｎｏ）、ステップＳ５２０を飛ばして本フローチャートは終了する。
【００９９】
一方、ステップＳ５３０において、携帯情報端末２０の基本情報要求部２３０は、携帯情報端末２０の端末側他基本情報格納部２５４に基本情報に対応付けて格納されている全てのユーザの識別情報が、携帯情報端末２０の端末側活動情報送受信部２１０から受け渡されたと判断した場合に（Ｓ５３０：Ｙｅｓ）、ステップＳ５３５を飛ばしてステップＳ５４０を実行する。
【０１００】
以上、本フローチャートによれば、サーバ側他基本情報格納部３５４に格納されている基本情報と端末側他基本情報格納部２５４に格納されている基本情報とを一致させることができる。したがって、通知されるものと認識していない他のユーザのプレゼンスが表示されるという不具合、または、他のユーザのプレゼンスとともに当該他のユーザに関する情報を表示できないという不具合が解消する。
【０１０１】
例えば、本フローチャートの開始時に、サーバ３０のサーバ側他基本情報格納部３５４は図９（ａ）に示す情報を、携帯情報端末２０の端末側他基本情報格納部２５４は図９（ｂ）に示す情報をそれぞれ格納している場合に、本フローチャートに示す処理を実行することにより、携帯情報端末２０の端末側他基本情報格納部２５４は、図８（ｂ）に示すように、新たにユーザＤの基本情報を識別情報に対応付けて格納することとなる。このように、携帯情報端末２０の端末側他基本情報格納部２５４に格納されている基本情報がサーバ側他基本情報格納部３５４に格納されている基本情報よりも少ない場合であっても、サーバ側他基本情報格納部３５４に格納されている基本情報と端末側他基本情報格納部２５４に格納されている基本情報とを一致させることができる。
【０１０２】
また例えば、本フローチャートの開始時において、サーバ３０のサーバ側他基本情報格納部３５４は図１２（ａ）に示す情報を、携帯情報端末２０の端末側他基本情報格納部２５４は図１２（ｂ）に示す情報をそれぞれ格納している場合に、本フローチャートに示す処理を実行することにより、携帯情報端末２０の端末側他基本情報格納部２５４は、図１１（ｂ）に示す基本情報を格納することとなる。このように、携帯情報端末２０の端末側他基本情報格納部２５４に格納されている基本情報がサーバ側他基本情報格納部３５４に格納されている基本情報よりも多い場合であっても、サーバ側他基本情報格納部３５４に格納されている基本情報と端末側他基本情報格納部２５４に格納されている基本情報とを一致させることができる。
【０１０３】
すなわち、図１５に示すフローチャートによれば、携帯情報端末２０の端末側他基本情報格納部２５４に格納されている基本情報がサーバ側他基本情報格納部３５４に格納されている基本情報よりも少ない場合に、端末側他基本情報格納部２５４に不足する基本情報をサーバ側他基本情報格納部３５４から取得することにより、サーバ側他基本情報格納部３５４に格納されている基本情報と端末側他基本情報格納部２５４に格納されている基本情報とを一致させることができる。また、携帯情報端末２０の端末側他基本情報格納部２５４に格納されている基本情報がサーバ側他基本情報格納部３５４に格納されている基本情報よりも多い場合には、端末側他基本情報格納部２５４に過剰な基本情報を削除することにより、サーバ側他基本情報格納部３５４に格納されている基本情報と端末側他基本情報格納部２５４に格納されている基本情報とを一致させることができる。特に、基本情報のデータ量が大きい場合に、速やかに基本情報を一致させることができる。
【０１０４】
図１６は、活動情報送受信システム１０の他の動作の一例を示すフローチャートである。本フローチャートは、サーバ３０のサーバ側活動情報送受信部３１０が、識別情報に対応付けて一のユーザの活動情報を他のサーバのサーバ側活動情報送受信部３１０から受信することにより開始する。なお、サーバ３０のサーバ側活動情報送受信部３１０が当該活動情報に対応付けて受信する識別情報は、サーバ３０のサーバ側他基本情報格納部３５４に格納されているものとする。また、本フローチャートの左側は携帯情報端末２０の動作を、右側はサーバ３０の動作をそれぞれ示す。
【０１０５】
本フローチャートにおいて、まず、サーバ３０のサーバ側活動情報送受信部３１０は、他のサーバのサーバ側活動情報送受信部３１０から受信した一のユーザの活動情報を識別情報に対応付けて携帯情報端末２０の端末側活動情報送受信部２１０に送信する（Ｓ６００）。すなわち、サーバ３０のサーバ側活動情報送受信部３１０は、サーバ３０のサーバ側他基本情報格納部３５４に格納されている一のユーザの活動情報を識別情報に対応付けて携帯情報端末２０の端末側活動情報送受信部２１０に送信する。携帯情報端末２０の端末側活動情報送受信部２１０は、活動情報に対応付けて受信した識別情報を携帯情報端末２０の基本情報要求部２３０に受け渡す。
【０１０６】
携帯情報端末２０の基本情報要求部２３０は、携帯情報端末２０の端末側活動情報送受信部２１０から受け渡された識別情報が携帯情報端末２０の端末側他基本情報格納部２５４に格納されているか否かを判断する（Ｓ６０５）。
【０１０７】
ステップＳ６０５において、携帯情報端末２０の基本情報要求部２３０は、携帯情報端末２０の端末側活動情報送受信部２１０から受け渡された識別情報が携帯情報端末２０の端末側他基本情報格納部２５４に格納されていないと判断した場合に（Ｓ６０５：Ｎｏ）、当該識別情報に対応付けてサーバ３０のサーバ側他基本情報格納部３５４に格納されている基本情報を送信すべき旨の送信要求をサーバ３０のサーバ側基本情報送受信部３２０に送信する（Ｓ６１０）。
【０１０８】
一方、ステップＳ６０５において、携帯情報端末２０の基本情報要求部２３０は携帯情報端末２０の端末側活動情報送受信部２１０から受け渡された識別情報が携帯情報端末２０の端末側他基本情報格納部２５４に格納されていると判断した場合（Ｓ６０５：Ｙｅｓ）、ステップＳ６４０に進む。
【０１０９】
なお、以下、ステップＳ６１５、Ｓ６２０、Ｓ６２５、Ｓ６４０は、図１５に示すステップＳ５１５、Ｓ５２０、Ｓ５２５、Ｓ５４０と同一なので説明を省略する。
【０１１０】
図１６に示すフローチャートによれば、活動情報送受信システム１０は、サーバ側他基本情報格納部３５４に格納されている基本情報と端末側他基本情報格納部２５４に格納されている基本情報とが不一致であった場合に、端末側他基本情報格納部２５４に格納される基本情報をサーバ側他基本情報格納部３５４に格納される基本情報によって置き換えることにより、サーバ側他基本情報格納部３５４に格納されている基本情報と端末側他基本情報格納部２５４に格納されている基本情報とを一致させる。
【０１１１】
以上、本フローチャートによれば、サーバ側他基本情報格納部３５４に格納されている基本情報と端末側他基本情報格納部２５４に格納されている基本情報とを一致させることができる。したがって、通知されるものと認識していない他のユーザのプレゼンスが表示されるという不具合、または、他のユーザのプレゼンスとともに当該他のユーザに関する情報を表示できないという不具合が解消する。
【０１１２】
例えば、本フローチャートの開始時に、サーバ３０のサーバ側他基本情報格納部３５４は図９（ａ）に示す情報を、携帯情報端末２０の端末側他基本情報格納部２５４は図９（ｂ）に示す情報をそれぞれ格納している場合に、ステップＳ４００においてサーバ３０のサーバ側活動情報送受信部３１０がユーザＤの活動情報を識別情報に対応付けて携帯情報端末２０の端末側活動情報送受信部２１０に送信したときは、本フローチャートに示す処理を実行することにより、携帯情報端末２０の端末側他基本情報格納部２５４は、図８（ｂ）に示す基本情報を格納することとなる。このように、携帯情報端末２０の端末側他基本情報格納部２５４に格納されている基本情報がサーバ側他基本情報格納部３５４に格納されている基本情報よりも少ない場合であっても、サーバ側他基本情報格納部３５４に格納されている基本情報と端末側他基本情報格納部２５４に格納されている基本情報とを一致させることができる。
【０１１３】
すなわち、図１４に示すフローチャートによれば、携帯情報端末２０の端末側他基本情報格納部２５４に格納されている基本情報がサーバ側他基本情報格納部３５４に格納されている基本情報よりも少ない場合に、端末側他基本情報格納部２５４に不足する基本情報をサーバ側他基本情報格納部３５４から取得することにより、サーバ側他基本情報格納部３５４に格納されている基本情報と端末側他基本情報格納部２５４に格納されている基本情報とを一致させることができる。特に、他の全てのユーザの活動情報を受信する周期が長く設定されている場合、基本情報のデータ量が大きい場合などに、速やかに基本情報を一致させることができる。
【０１１４】
以上、本実施形態によれば、サーバ側他基本情報格納部３５４に格納されている基本情報と端末側他基本情報格納部２５４に格納されている基本情報とを一致させることができる。したがって、通知されるものと認識していない他のユーザのプレゼンスが表示されるという不具合、または、他のユーザのプレゼンスとともに当該他のユーザに関する情報を表示できないという不具合を解消することができる。
【０１１５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【０１１６】
【図１】活動情報送受信システム１０の概略図を模式的に示す。
【図２】サーバ３０のブロック図の一例を示す。
【図３】サーバ側基本情報格納部３５０に格納された情報の一例を示す。
【図４】携帯情報端末２０のブロック図の一例を示す。
【図５】端末側基本情報格納部２５０に格納された情報の一例を示す。
【図６】携帯情報端末２０のディスプレイ２００に表示された情報の一例を示す。
【図７】活動情報送受信システム１０の動作の一例を示すフローチャートである。
【図８】サーバ側他基本情報格納部３５４および端末側他基本情報格納部２５４に格納された情報の一例を示す。
【図９】サーバ側他基本情報格納部３５４および端末側他基本情報格納部２５４に格納された情報の一例を示す。
【図１０】活動情報送受信システム１０の動作の一例を示すフローチャートである。
【図１１】サーバ側他基本情報格納部３５４および端末側他基本情報格納部２５４に格納された情報の一例を示す。
【図１２】サーバ側他基本情報格納部３５４および端末側他基本情報格納部２５４に格納された情報の一例を示す。
【図１３】活動情報送受信システム１０の動作の一例を示すフローチャートである。
【図１４】活動情報送受信システム１０の他の動作の一例を示すフローチャートである。
【図１５】活動情報送受信システム１０の他の動作の一例を示すフローチャートである。
【図１６】活動情報送受信システム１０の他の動作の一例を示すフローチャートである。
【符号の説明】
【０１１７】
１０  活動情報送受信システム
２０  携帯情報端末
２２  携帯情報端末
２４  携帯情報端末
２６  携帯情報端末
３０  サーバ
３２  サーバ
３４  サーバ
３６  サーバ
７０  ネットワーク
２１０  端末側活動情報送受信部
２２０  端末側基本情報送受信部
２３０  基本情報要求部
２４０  端末側要求応答部
２５０  端末側基本情報格納部
２５２  端末側自基本情報格納部
２５４  端末側他基本情報格納部
３１０  サーバ側活動情報送受信部
３２０  サーバ側基本情報送受信部
３４０  サーバ側要求応答部
３５０  サーバ側基本情報格納部
３５２  サーバ側自基本情報格納部
３５４  サーバ側他基本情報格納部
２００  ディスプレイ
２０２  ディスプレイ
２０４  ディスプレイ
２０６  ディスプレイ
３００  操作パネル
３０２  操作パネル
３０４  操作パネル
３０６  操作パネル
【図１】
2008102880.tif 000003
【図２】
2008102880.tif 000004
【図３】
2008102880.tif 000005
【図４】
2008102880.tif 000006
【図５】
2008102880.tif 000007
【図６】
2008102880.tif 000008
【図７】
2008102880.tif 000009
【図８】
2008102880.tif 000010
【図９】
2008102880.tif 000011
【図１０】
2008102880.tif 000012
【図１１】
2008102880.tif 000013
【図１２】
2008102880.tif 000014
【図１３】
2008102880.tif 000015
【図１４】
2008102880.tif 000016
【図１５】
2008102880.tif 000017
【図１６】
2008102880.tif 000018